(57)【要約】【課題】鉛蓄電池等の低出力電池及びニッケル水素電池のそれぞれの特長を活かした最適の電力制御システムを提供すること。【解決手段】電力制御システム1は、ニッケル水素電池4と、ニッケル水素電池4に対して並列に接続され、ニッケル水素電池4よりも出力の小さい低出力二次電池5と、ニッケル水素電池4及び低出力二次電池5からの直流電力を交流電力に変換するインバータ6と、ニッケル水素電池4及び低出力二次電池5の少なくとも一方と、インバータ6との間に設けられたＤＣ／ＤＣコンバータ7,8と、外部のコントローラ9からの指令に基づいてＤＣ／ＤＣコンバータ7,8及びインバータ6を制御するシステムコントローラ10と、を備える。【選択図】図１
2014131369.tif 000002
【特許請求の範囲】
【請求項１】
ニッケル水素電池と、
前記ニッケル水素電池に対して並列に接続され、前記ニッケル水素電池よりも出力の小さい低出力二次電池と、
前記ニッケル水素電池及び前記低出力二次電池からの直流電力を交流電力に変換するためのインバータと、
前記ニッケル水素電池及び前記低出力二次電池の少なくとも一方と、前記インバータとの間に設けられたＤＣ／ＤＣコンバータと、
外部のコントローラからの指令に基づいて前記ＤＣ／ＤＣコンバータ及び前記インバータを制御するためのシステムコントローラと、
を備えた電力制御システム。
【請求項２】
前記低出力二次電池は、鉛蓄電池及びナトリウム・硫黄電池の少なくとも一方を含む、請求項１記載の電力制御システム。
【請求項３】
複数の前記ニッケル水素電池が並列に接続されている、請求項１又は２に記載の電力制御システム。
【請求項４】
前記ＤＣ／ＤＣコンバータは、前記ニッケル水素電池及び前記低出力二次電池のそれぞれと、前記インバータとの間にそれぞれ設けられている、請求項１乃至３のいずれか一項に記載の電力制御システム。
【請求項５】
前記インバータは、所定の負荷に接続されており、
前記システムコントローラは、前記ニッケル水素電池及び前記低出力二次電池が前記所定の負荷に対する非常用電源として機能するように前記ＤＣ／ＤＣコンバータ及び前記インバータを制御する、請求項１乃至４のいずれか一項に記載の電力制御システム。
【請求項６】
前記インバータは、再生可能エネルギーを利用する発電設備に接続されており、
前記システムコントローラは、前記ニッケル水素電池及び前記低出力二次電池が前記発電設備の負荷変動を補償するように前記ＤＣ／ＤＣコンバータ及び前記インバータを制御する、請求項１乃至４のいずれか一項に記載の電力制御システム。
【請求項７】
前記発電設備は、太陽光発電及び風力発電の少なくとも一方の発電方式を採用したものである、請求項６記載の電力制御システム。
【請求項８】
前記システムコントローラは、前記ニッケル水素電池と前記低出力二次電池との間で電力を融通し合うように前記ＤＣ／ＤＣコンバータを制御する機能を有する、請求項１乃至７のいずれか一項に記載の電力制御システム。
【請求項９】
前記ニッケル水素電池、前記低出力二次電池、前記インバータ、前記ＤＣ／ＤＣコンバータ、及び前記システムコントローラが、全体として１つのユニットとして構成されており、前記ユニットを電力系統側に接続するための接続手段を有する、請求項１乃至８のいずれか一項に記載の電力制御システム。
【請求項１０】
前記システムコントローラは、前記外部のコントローラからの出力電力指令を低出力成分と高出力成分とに分けて個別制御する機能を有する、請求項１乃至９のいずれか一項に記載の電力制御システム。
【請求項１１】
前記外部のコントローラは、グリッドコントローラである、請求項１乃至１０のいずれか一項に記載の電力制御システム。
【発明の詳細な説明】
【技術分野】
【０００１】
本発明は、鉛蓄電池等の二次電池を備えた電力制御システムに関する。
【背景技術】
【０００２】
東日本大震災以降、電力系統からの電力供給を補完するものとして、分散型電源、マイクログリッド、再生可能エネルギー、非常用電源への関心が高まっている。特に、風力発電、太陽光発電といった再生可能エネルギーは、今後、固定価格買取制度の効果等により、より一層の普及が予想される。
【０００３】
ところが、再生可能エネルギーの出力は、実際の風や日照量の変化に応じて変動するため、将来の出力を予測することは困難である。従って、電力系統への再生可能エネルギーの導入量が増加するにつれて、予測困難な出力変動量も増加することになる。
【０００４】
このため、既存の電力系統の許容変動量を超える再生可能エネルギーが導入された場合には、系統電力の需給バランスが崩壊し、周波数変動等を生じさせる可能性があり、電力品質の低下が懸念される。
【０００５】
再生可能エネルギーの出力安定化対策として、蓄電池やインバータ等による電力制御があるが、大容量の蓄電池に関しては、開発途上の面が多く、価格が高止まりしているのが現状である。
【０００６】
また、系統停電の際の非常用電源に関しては、蓄電池、非常用ガスタービン等が良く用いられる。しかしながら、非常用ガスタービン又は蓄電池のみを用いた場合、追従可能な負荷変動幅又は速度に限界があり、この限界を超える負荷変動が生じた場合は、電力品質(周波数の安定性）が低下することが問題となっている。
【０００７】
ところで、鉛蓄電池は１５０年以上前に実用化され、自動車用等の様々な分野に導入されており、既に数多くの実績がある。他の電池と比較して安価で、安定性に優れるという利点がある。その反面、充放電電流が小さく、急速充放電用途には適さないという欠点がある。
【０００８】
そのため、鉛蓄電池は、特定負荷の非常用電源のように負荷変動が小さく、長時間運転するような用途には向いているが、太陽光発電や風力発電の短周期の出力安定化等、急速充放電が必要で、大深度での充放電を連続的に繰り返す用途に使用する場合は、充放電電流が小さいため、鉛蓄電池の容量を大幅に増やす必要があり、広大な設置スペースや高コストが必要になってしまう。
【０００９】
一方、ニッケル水素電池は、充放電電流が大きく、急速充放電に適しているので、太陽光発電や風力発電の短周期の出力安定化等、急速充放電が必要な用途に向いている。
【００１０】
しかしながら、太陽光発電においては、雲間による短周期出力変動だけにとどまらず、１日スパンの長周期出力変動にも対応する必要がある。  このような長周期出力変動にも対応するためには、ニッケル水素電池の必要容量が大きくなる。
【００１１】
ところが、ニッケル水素電池は、鉛電池と比較して単位容量(kWh)当たりのコストが割高である。このため、長周期出力変動にも対応すべく、大容量のニッケル水素電池を設置すると、そのコストが多大なものとなってしまう。
【００１２】
一方、特許文献１には、リチウムイオン電池とナトリウム−硫黄電池とを組み合わせた蓄電システムが記載されている。リチウムイオン電池は、急速充放電に優れている点、単位容量(kWh)当たりのコストが割高である点等、ニッケル水素電池と似た性質を持っている。
【００１３】
しかしながら、水系の電解液を使用するニッケル水素電池とは異なり、リチウムイオン電池の電解液には有機溶媒を使用しているため、潜在的な発火の可能性を孕んでいる。このため、一部のセルの短絡、又は過充電等が起こった場合は非常に危険である。
【００１４】
また、再生可能エネルギーの補助電源として蓄電池を活用する場合、通常は昼間の太陽光発電や風力発電の余剰電力又は夜間電力を用いて蓄電池の充電を行う。しかしながら、昼間の発電電力が小さい場合や負荷が大きくなった場合は、蓄電池の充電量が日中で低下し、放電ができなくなることがある。
【００１５】
そのような場合には、昼間の電力を用いて優先的に充電する必要があるため、出力安定化に必要な放電を十分に行うことができず、太陽光発電や風力発電の運転を停止しなければならないことになる。
【先行技術文献】
【特許文献】
【００１６】
【特許文献１】特開２０１１−２０５８２４号公報
【発明の概要】
【発明が解決しようとする課題】
【００１７】
上述したように、鉛蓄電池及びニッケル水素電池は、それぞれが固有の問題点を有しており、これらの蓄電池を利用して電力制御システムを構築して、再生可能エネルギーの大量導入を図ろうとしても限界があった。
【００１８】
図９は、従来の二次電池式の電力制御システム５０を非常用電源設備に適用した場合の一例を示している。この電力制御システム５０は、鉛蓄電池５１と、この鉛蓄電池５１からの直流電力を交流電力に変換するインバータ５２を備えている。このインバータ５２は、電力系統５３に接続されると共に、バックアップ対象の所定の負荷５４にも接続されている。
【００１９】
そして、電力系統５３から十分な電力供給を受けられない場合（停電発生時）には、鉛蓄電池５１からの電力を、インバータ５２を介して負荷に供給してバックアップするようになっている。
【００２０】
ところが、上述したように鉛蓄電池５１は、追従可能な負荷変動の制限幅が小さいため、この制限幅を超える変動が発生した場合には、需給バランスが崩れ、周波数が変動し、電力品質が低下してしまう。
【００２１】
図１０は、従来の二次電池式の電力制御システム６０を、風力発電設備５５や太陽光発電設備５６などの再生可能エネルギーを利用した発電設備の補助電源に適用した場合を示している。
【００２２】
従来の二次電池式の電力制御システム６０においては、ニッケル水素電池６１がインバータ６２に接続されている。そして、グリッドコントローラ６３から指令を受けたシステムコントローラ６４が、インバータ６２に指令を送り、これを制御する。
【００２３】
上述したように風力発電や太陽光発電は、自然条件の変化等により出力が変動しやすいため、このような出力変動に対応するために、電力制御システム６０のニッケル水素電池６１からインバータ６２を介して放電し、或いは充電され、電力系統５３に供給する電力の平滑化を図っている（図１１参照）。
【００２４】
ところが、ニッケル水素電池６１が過放電になった場合には、充電量が低下して、出力安定化のための放電が不可能となり（図１２）、一方、過充電になった場合には、出力安定化のための充電が不可能となる。
【００２５】
本発明は、従来技術の上記問題点に鑑みて成されたものであって、鉛蓄電池等の低出力電池及びニッケル水素電池のそれぞれの特長を活かした最適の電力制御システムを提供することを目的とする。
【課題を解決するための手段】
【００２６】
上記課題を解決するために、本発明による電力制御システムは、ニッケル水素電池と、前記ニッケル水素電池に対して並列に接続され、前記ニッケル水素電池よりも出力の小さい低出力二次電池と、前記ニッケル水素電池及び前記低出力二次電池からの直流電力を交流電力に変換するためのインバータと、前記ニッケル水素電池及び前記低出力二次電池の少なくとも一方と、前記インバータとの間に設けられたＤＣ／ＤＣコンバータと、外部のコントローラからの指令に基づいて前記ＤＣ／ＤＣコンバータ及び前記インバータを制御するためのシステムコントローラと、を備えたことを特徴とする。
【００２７】
また、好ましくは、前記低出力二次電池は、鉛蓄電池及びナトリウム・硫黄電池の少なくとも一方を含む。
【００２８】
また、好ましくは、複数の前記ニッケル水素電池が並列に接続されている。
【００２９】
また、好ましくは、前記ＤＣ／ＤＣコンバータは、前記ニッケル水素電池及び前記低出力二次電池のそれぞれと、前記インバータとの間にそれぞれ設けられている。
【００３０】
また、好ましくは、前記インバータは、所定の負荷に接続されており、前記システムコントローラは、前記ニッケル水素電池及び前記低出力二次電池が前記所定の負荷に対する非常用電源として機能するように前記ＤＣ／ＤＣコンバータ及び前記インバータを制御する。
【００３１】
また、好ましくは、前記インバータは、再生可能エネルギーを利用する発電設備に接続されており、前記システムコントローラは、前記ニッケル水素電池及び前記低出力二次電池が前記発電設備の負荷変動を補償するように前記ＤＣ／ＤＣコンバータ及び前記インバータを制御する。
【００３２】
また、好ましくは、前記発電設備は、太陽光発電及び風力発電の少なくとも一方の発電方式を採用したものである。
【００３３】
また、好ましくは、前記システムコントローラは、前記ニッケル水素電池と前記低出力二次電池との間で電力を融通し合うように前記ＤＣ／ＤＣコンバータを制御する機能を有する。
【００３４】
また、好ましくは、前記ニッケル水素電池、前記低出力二次電池、前記インバータ、前記ＤＣ／ＤＣコンバータ、及び前記システムコントローラが、全体として１つのユニットとして構成されており、前記ユニットを電力系統側に接続するための接続手段を有する。
【００３５】
また、好ましくは、前記システムコントローラは、前記外部のコントローラからの出力電力指令を低出力成分と高出力成分とに分けて個別制御する機能を有する。
【００３６】
また、好ましくは、前記外部のコントローラは、グリッドコントローラである。
【発明の効果】
【００３７】
本発明による二次電池式の電力制御システムによれば、鉛蓄電池等の安価な低出力二次電池と、急速充放電に適したニッケル水素電池とを組み合わせたので、要求される低出力から高出力までの再生可能エネルギーの出力変動を安定化させることが可能で、コストを抑制した電力システムが構築できる。
【図面の簡単な説明】
【００３８】
【図１】本発明の一実施形態による電力制御システムを非常用電源に適用した場合の概略系統図。
【図２】図１に示した電力制御システムのニッケル水素電池の部分を示した部分系統図。
【図３】本発明の他の実施形態による電力制御システムを、再生可能エネルギーを利用した発電設備の補助電源に適用した場合の概略系統図。
【図４】図３に示した電力制御システムの通常時の充放電状態を示したグラフ。
【図５】図３に示した電力制御システムの過放電時の充放電状態を示したグラフ。
【図６】図３に示した電力制御システムにおける運転モードの一例を説明するための系統図。
【図７】図３に示した電力制御システムにおける運転モードの他の例を説明するための系統図。
【図８】図３に示した電力制御システムによる風力発電設備の出力制御の一例を示したグラフ。
【図９】従来の二次電池式の電力制御システムを非常用電源に適用した場合の概略系統図。
【図１０】従来の二次電池式の電力制御システムを、再生可能エネルギーを利用した発電設備の補助電源に適用した場合の概略系統図。
【図１１】図９に示した従来の電力制御システムの通常時の充放電状態を示したグラフ。
【図１２】図９に示した従来の電力制御システムの過放電時の充放電状態を示したグラフ。
【発明を実施するための形態】
【００３９】
以下、本発明の一実施形態による電力制御システムについて、図１及び図２を参照して説明する。
【００４０】
図１に示したように、本実施形態による電力制御システム１は、外部電力系統２と、グリッド内の所定の負荷３とに接続されている。そして、この電力制御システム１は、外部電力系統２からの電力供給が停止（停電）した場合等において、負荷３に対する非常用電源として機能するものである。
【００４１】
電力制御システム１は、ニッケル水素電池４と、このニッケル水素電池４に対して並列にＤＣリンクで接続された鉛蓄電池５とを備えている。鉛蓄電池５は、ニッケル水素電池４よりも出力の小さい低出力二次電池である。
【００４２】
なお、鉛蓄電池５以外の低出力二次電池としては、ナトリウム・硫黄電池があり、本実施形態及び後述する他の実施形態における鉛蓄電池５を、ナトリウム・硫黄電池に置き換える、或いは両者を併用することができる。
【００４３】
また、電力制御システム１は、ニッケル水素電池４及び鉛蓄電池５からの直流電力を交流電力に変換するためのインバータ６を有する。このインバータ６に対して、外部電力系統２及び所定の負荷３が接続されている。
【００４４】
インバータ６とニッケル水素電池４との間には、ＤＣ／ＤＣコンバータ７が設けられている。また、インバータ６と鉛蓄電池５との間にも、ＤＣ／ＤＣコンバータ８が設けられている。このようにＤＣ／ＤＣコンバータ７、８により昇圧させることで、蓄電池４、５の直列数を低減することができる。
【００４５】
さらに、電力制御システム１は、グリッドコントローラ（外部のコントローラ）９からの指令に基づいてＤＣ／ＤＣコンバータ７、８及びインバータ６を制御するためのシステムコントローラ１０を備えている。
【００４６】
上述したインバータ６、ＤＣ／ＤＣコンバータ７、８、及びシステムコントローラ１０によって、電力調整システム（ＰＣＳ）が構成されている。
【００４７】
システムコントローラ１０は、外部電力系統２からの電力供給が停止された際に、グリッドコントローラ９からの指令を受けて、ＤＣ／ＤＣコンバータ７、８及びインバータ６を制御して、負荷３に対して安定的に電力を供給するように機能する。
【００４８】
このとき、従来の二次電池式の電力制御システム５０（図９）の場合、鉛蓄電池５１しか備えていないので、バックアップ先の負荷５４が急激に変動すると、その変動に追従することができず、需給バランスが崩れ、周波数が変動し、電力品質が低下してしまう。
【００４９】
これに対して、本実施形態による電力制御システム１においては、鉛蓄電池５に加えて、ニッケル水素電池４を備えており、このニッケル水素電池４は、高出力二次電池であり、負荷変動に対する許容範囲が鉛蓄電池５よりも広い。
【００５０】
このため、バックアップ先の負荷３が急激に変動した場合には、システムコントローラ１０によってＤＣ／ＤＣコンバータ７、８及びインバータ６を制御して、ニッケル水素電池４からの電力供給を開始し、或いはニッケル水素電池４から既に供給されている電力量を増加させて、急激な負荷変動に対して適切に対応することができる。
【００５１】
なお、特定負荷３の非常用電源においては、通常は負荷変動が小さいため、長時間運転しても問題が生じないが、何らかの原因で負荷３が急激に変動した場合には、鉛蓄電池のみを備えた従来の電力制御システム５０（図９）では対応できない。もし仮に鉛蓄電池のみで対応しようとすると、多量の鉛蓄電池が必要となる。
【００５２】
また、本実施形態による電力制御システム１においては、ニッケル水素電池４、鉛蓄電池５、インバータ６、ＤＣ／ＤＣコンバータ７、８、及びシステムコントローラ１０を、全体として１つのユニットとして構成している。そして、このユニットは、ユニット接続手段１１によって電力系統２側に接続されている。
【００５３】
また、図２に示したように、本実施形態による電力制御システム１においては、複数のニッケル水素電池４を並列に設置して、それぞれのニッケル水素電池４に対して遮断器１２が設けられている。
【００５４】
このように本実施形態による電力制御システム１においては、複数のニッケル水素電池４を並列に設置できるので、必要に応じて電池容量を増やすことが可能である。
【００５５】
なお、ニッケル水素電池４は、故障時に短絡モードにならないので、複数のニッケル水素電池４を並列にしても、故障時の横流発生の問題は生じ得ない。
【００５６】
また、ニッケル水素電池４を列ごとに回路から切り離すことで、全体としての運転状態を維持したまま、個別に交換・メンテナンスを行うことができる。さらに、複数のニッケル水素電池４のいずれかにおいて故障が発生した場合には、その発生個所を特定することが容易である。
【００５７】
以上述べたように、本実施形態による電力制御システム１によれば、高出力の充放電に対応できるニッケル水素電池４と、安価な鉛蓄電池５とを組み合わせて、低出力の負荷変動のみならず、高出力の負荷変動にも追従できるようにしたので、急激な負荷変動が生じた場合でも、需給バランスを維持して、電力品質を安定化させることができると共に、システム全体のコストを抑制することができる。
【００５８】
このように本実施形態による電力制御システム１は、ニッケル水素電池４と鉛蓄電池５とを組み合わせることにより、両者の特長を活かして最適な電力制御システムを実現している。
【００５９】
次に、本発明の他の実施形態による二次電池式の電力制御システムについて、図３乃至図８を参照して説明する。
【００６０】
図３に示したように、本実施形態による電力制御システム２０は、外部電力系統２１に接続されると共に、風力発電設備２２及び太陽光発電設備２３に接続されている。
【００６１】
この電力制御システム２０は、ニッケル水素電池２４と、このニッケル水素電池２４に対して並列にＤＣリンクで接続された鉛蓄電池２５とを備えている。
【００６２】
また、電力制御システム２０は、ニッケル水素電池２４及び鉛蓄電池２５からの直流電力を交流電力に変換するためのインバータ２６を有する。このインバータ２６に対して、風力発電設備２２及び太陽光発電設備２３が接続されている。
【００６３】
インバータ２６とニッケル水素電池２４との間には、ＤＣ／ＤＣコンバータ２７が設けられている。一方、鉛蓄電池２５は、インバータ２６に直接接続されている。
【００６４】
さらに、電力制御システム２０は、グリッドコントローラ２８からの指令に基づいてＤＣ／ＤＣコンバータ２７及びインバータ２６を制御するためのシステムコントローラ２９を備えている。
【００６５】
このシステムコントローラ２９は、ニッケル水素電池２４及び鉛蓄電池２５が、風力発電設備２２及び太陽光発電設備２３の負荷変動を補償するように、ＤＣ／ＤＣコンバータ２７及びインバータ２６を制御する。
【００６６】
また、このシステムコントローラ２９は、ＤＣリンクを通じてニッケル水素蓄電２４と鉛蓄電池２５との間で電力を融通させる機能を有している。
【００６７】
上述したインバータ２６、ＤＣ／ＤＣコンバータ２７、及びシステムコントローラ２９によって、電力調整システム（ＰＣＳ）が構成されている。
【００６８】
そして、本実施形態による電力制御システム２０は、鉛蓄電池２５に加えて、出力の許容範囲が鉛蓄電池２５よりも広いニッケル水素電池２４を備えているので、風力発電設備２２及び太陽光発電設備２３の出力安定化の用途で使用する場合には、高出力の変動にはニッケル水素電池２４で対応し、低出力の変動には鉛蓄電池２５で対応することができる。
【００６９】
このため、低出力の変動のみならず、高出力の変動に対しても適切に対応できると共に、低出力の変動は安価な鉛蓄電池２５で対応することにより、システム全体としてのコストを抑制することができる。
【００７０】
また、鉛蓄電池２５のみで高出力の変動に対応する場合は、多量の鉛蓄電池が必要となり、広いスペースが必要になるが、ニッケル水素電池２４を導入することにより、省スペース化を実現できる。
【００７１】
また、例えば昼間の発電電力が小さい時や負荷が大きい時に、ニッケル水素電池２４の充電量が日中で低下した場合であっても、鉛蓄電池２５から電力を融通することで、夜間電力の有効活用ができるようになる。
【００７２】
以下、本実施形態による電力制御システム２０の運転方法の一例について、図１０に示した従来の電力制御システム６０と対比して説明する。
【００７３】
上述したように図１０に示した従来の電力制御システム６０は、蓄電池としてニッケル水素電池６１を備えているが、このニッケル水素電池６１は、コスト面から必要最低限の構成となっている。このため、放電と充電とのバランスが取れている状態（図１１）では特に問題はないが、例えば過放電になった場合には、出力・周波数の安定化のための放電が不可能となり（図１２）、一方、過充電になった場合には出力安定化のための充電が不可能となる。
【００７４】
一方、本実施形態による電力制御システム２０においては、図４に示したような充電と放電のバランスが取れている状態から、充放電のバランスが崩れて、一方の蓄電池（例えばニッケル水素電池２４）が過放電又は過充電しそうな場合には、他方の蓄電池（例えば鉛蓄電池２５）との間で電力を融通することができる。
【００７５】
例えば、図５に示したようにニッケル水素電池２４が過放電しそうな場合には、図６に示したように、出力安定化に支障のない範囲で、グリッドコントローラ２８からの指令を受けたシステムコントローラ２９が、ＤＣ／ＤＣコンバータ２７及びインバータ２６に指令を送り、このシステムコントローラ２９からの指令により、鉛蓄電池２５の電力を、ＤＣ／ＤＣコンバータ２７を介してニッケル水素電池２４に充電する。これにより、電力制御システム２０による出力安定化運転を継続させることができる。
【００７６】
また、ニッケル水素電池２４が過充電しそうな場合には、出力安定化に支障のない範囲で、システムコントローラ２９からの指令により、ニッケル水素電池２４から鉛蓄電池２５に対して放電し、これにより、電力制御システム２０による出力安定化運転を継続させることができる。
【００７７】
このように本実施形態による電力制御システム２０は、出力安定化運転を継続しながら、ニッケル水素電池２４及び鉛蓄電池２５に対する充電、或いはこれらの蓄電池２４、２５からの放電を行うことができる。これにより、出力安定化運転を確実に継続させることが可能となる。
【００７８】
また、図７に示したように、本実施形態による電力制御システム２０においては、外部電力系統２１から、ニッケル水素電池２４及び鉛蓄電池２５に充電する際に、グリッドコントローラ２８からの指令を受けたシステムコントローラ２９が、ＤＣ／ＤＣコンバータ２７及びインバータ２６に指令を送り、このシステムコントローラ２９からの指令により、それぞれの蓄電池２４、２５への充電量の配分を調整することができる。
【００７９】
なお、本実施形態による電力制御システム２０においても、図１に示した電力制御システム１と同様に、複数のニッケル水素電池２４を並列に接続することができる（図２参照）。
【００８０】
また、本実施形態による電力制御システム２０においても、図１に示した電力制御システム１と同様に、ニッケル水素電池２４、鉛蓄電池２５、インバータ２６、ＤＣ／ＤＣコンバータ２７、及びシステムコントローラ２９を、全体として１つのユニットとして構成し、このユニットをユニット接続手段によって電力系統に接続するように構成しても良い。
【００８１】
図８は、本実施形態による電力制御システム２０による風力発電設備２２の出力制御の一例を示している。
【００８２】
図８に示したように、大きく変動する風力発電設備２２の出力に対して、変動幅が小さい領域については、鉛蓄電池２５からの放電又は充電によって対応し、変動幅が大きい領域については、ニッケル水素電池２４からの放電又は充電によって対応することにより、出力安定化を図ることができる。
【００８３】
上記の通り、本発明の各実施形態によれば、鉛蓄電池５、２５とニッケル水素電池４、２４を組み合わせ、前者の特長である単価の安さと、後者の特長である急速充放電性能を活かすことができる電力制御システム１、２０を提供することが可能である。
【００８４】
また、このような電力制御システム１、２０を、風力発電設備２２や太陽光発電２３等の再生可能エネルギーを使用した発電設備と組み合わせることにより、再生可能エネルギーの大量導入を促進することができる。
【符号の説明】
【００８５】
１、２０  電力制御システム
２、２１  外部電力系統
３  所定の負荷
４、２４  ニッケル水素電池
５、２５  鉛蓄電池
６、２６  インバータ
７、８、２７  ＤＣ／ＤＣコンバータ
９、２８  グリッドコントローラ
１０、２９  システムコントローラ
１１  ユニット接続手段
１２  遮断器
２２  風力発電設備
２３  太陽光発電設備
【図１】
2014131369.tif 000003
【図２】
2014131369.tif 000004
【図３】
2014131369.tif 000005
【図４】
2014131369.tif 000006
【図５】
2014131369.tif 000007
【図６】
2014131369.tif 000008
【図７】
2014131369.tif 000009
【図８】
2014131369.tif 000010
【図９】
2014131369.tif 000011
【図１０】
2014131369.tif 000012
【図１１】
2014131369.tif 000013
【図１２】
2014131369.tif 000014